(57)【特許請求の範囲】
【請求項１】
前後に垂直支持部材が設けられ島枠に固定されるスライドベースと、前記垂直支持部材に回転可能に支持されるスライドボルトと、前記スライドボルトの回転により前後動するスライドタップと、前記スライドタップによって前後動され、台枠の上側を挟み込むグリップベースと、前記グリップベースの下部に設けられ、噛み込む噛み込み部が台枠の下側を噛み込むグリップ機構と、１乃至複数の歯車からなり前記スライドボルトを回転させる駆動手段と、島枠と台枠の隙間に挿入され前記駆動手段を回転駆動する調整棒と、を備え、前記調整棒によって前記駆動手段を回転駆動して前記スライドボルトを回転させると、前記スライドタップが前後動すると共に前記グリップベースと前記グリップ機構に挟み込まれた台枠が前後動して傾斜させることができるパチンコ台の上部取付装置において、
開いた状態では前記駆動手段に前記調整棒が係合可能で、閉じた状態では前記駆動手段への前記調整棒の係合を妨げるシャッターが設けられ、前記シャッターは、ピンに回動可能に取り付けられ、閉じバネが前記シャッターを閉じる方向に付勢しており、閉じバネの付勢力に抗して前記シャッターを回動させると、前記シャッターに設けられたフックが、前記調整棒の挿入路に係合して前記シャッターを開いた状態に保持し、前記調整棒が挿入路に挿入されるとフックが外れ、調整が終了した後に前記調整棒が取り去られると、前記閉じバネの付勢力で前記シャッターが閉じた状態とされることを特徴とするパチンコ台の上部取付装置。
【請求項２】
前記グリップ機構は、ラチェット板と、該ラチェット板を後方向に付勢する押しバネを有し、ラチェットボルトを前方向に押し込むと、前記噛み込み部の開口度が狭まった状態に保持され、この状態から該ラチェット板を前方向に倒すと、ラチェットボルトが、押しバネの付勢力で初期の位置に戻ることを特徴とする請求項１に記載のパチンコ台の上部取付装置。
【請求項３】
前記グリップ機構は、レバーが根元側と根本側に回動可能にピンで結合される先端側からなり、前記ピンに設けられた跳上げバネが根元側と先端側を一直線になるように付勢しており、先端側を前記跳上げバネの付勢力に抗して引き下げると、先端側が折れ曲がることを特徴とする請求項１に記載のパチンコ台の上部取付装置。
【請求項４】
前記グリップ機構は、前記噛み込み部を回動可能に支持するピンに、前記噛み込み部が開口するように付勢する戻しバネが設けられることを特徴とする請求項１に記載のパチンコ台の上部取付装置。
【発明の詳細な説明】
【技術分野】
【０００１】
本発明は、パチンコ台の上部取付装置に係り、より詳しくは、操作性に優れたパチンコ台の上部取付装置に関する。
【背景技術】
【０００２】
本出願人は、島枠と台枠の隙間からパチンコ台の傾斜角度が調整できる上部取付装置を提案した。その構成を図１２に示す。上部取付装置１００は、島枠９の上部に固定され台枠１０を噛み込む装置である。パチンコ台（図示せず）は台枠１０の正面に、開閉可能にヒンジで結合される。島枠９と台枠１０の隙間１５から調整棒１４を挿入し、複数の歯車からなる駆動手段を駆動することにより、上部取付装置１００のスライドボルトを回転し、グリップ機構を前後動させてパチンコ台を傾斜させる。パチンコ台は閉じたままでよく、正面側から調整できるので作業性がよい。（特許文献１参照）
【０００３】
しかしながら、さらなる操作性の向上が求められている。第１にはシャッターの開閉操作があげられる。上部取付装置には開閉可能なシャッターが設けられ、シャターを開くように操作し、次に調整棒をスライドボルト駆動手段に係合させて傾斜角度の調整を行ない、調整が終了すればシャターを閉じて調整棒がスライドボルト駆動手段に係合できない状態とする。ここで、改めてシャターを閉じる操作をしないでも、例えば調整が終了して調整棒を引き抜くなら自動的にシャッターが閉じられるようにすることが望まれる。
【０００４】
第２にはラチェットボルトの回転による噛み込み部の傾き調節があげられる。台枠の板厚が薄いような場合、ラチェットボルトを回転して噛み込み部を上向きに傾けることができるが、ラチェットボルトを何回も回転させる面倒さがあり、１回の操作で噛み込み部の開口度の調節ができることが望まれる。
【０００５】
第３にはレバーの引き下げ操作があげられる。噛み込み部を台枠に噛み込ませる場合はレバーを押し上げるが、レバーは略水平となり、グリップベースの下面側に接近してロックされる。そのため、レバーを引き下げて噛み込み部を台枠から離そうとする場合、指がレバーとグリップベースの間に入りにくく、レバーを引き下げることが難しい。レバーの引き下げ操作の容易化が望まれる。
【先行技術文献】
【特許文献】
【０００６】
【特許文献１】特願２０１４−１０３３７６号
【発明の概要】
【発明が解決しようとする課題】
【０００７】
本発明の目的は、パチンコ台の上部取付装置の操作性をさらに向上させることにある。
【課題を解決するための手段】
【０００８】
本発明によるパチンコ台の上部取付装置は、前後に垂直支持部材が設けられ島枠に固定されるスライドベースと、前記垂直支持部材に回転可能に支持されるスライドボルトと、前記スライドボルトの回転により前後動するスライドタップと、前記スライドタップによって前後動され、台枠の上側を挟み込むグリップベースと、前記グリップベースの下部に設けられ、噛み込む噛み込み部台枠の下側を噛み込むグリップ機構と、１乃至複数の歯車からなり前記スライドボルトを回転させる駆動手段と、島枠と台枠の隙間に挿入され前記駆動手段を回転駆動する調整棒と、を備え、前記調整棒によって前記駆動手段を回転駆動して前記スライドボルトを回転させると、前記スライドタップが前後動すると共に前記グリップベースと前記グリップ機構に挟み込まれた台枠が前後動して傾斜させることができるパチンコ台の上部取付装置において、開いた状態では前記駆動手段に前記調整棒が係合可能で、閉じた状態では前記駆動手段への前記調整棒の係合を妨げるシャッターが設けられ、前記シャッターは、ピンに回動可能に取り付けられ、閉じバネが前記シャッターを閉じる方向に付勢しており、閉じバネの付勢力に抗して前記シャッターを回動させると、前記シャッターに設けられたフックが、前記調整棒の挿入路に係合して前記シャッターを開いた状態に保持し、前記調整棒が挿入路に挿入されるとフックが外れ、調整が終了した後に前記調整棒が取り去られると、前記閉じバネの付勢力で前記シャッターが閉じた状態とされることを特徴とする。
【０００９】
前記グリップ機構は、ラチェット板と、該ラチェット板を後方向に付勢する押しバネを有し、ラチェットボルトを前方向に押し込むと、前記噛み込み部の開口度が狭まった状態に保持され、この状態から該ラチェット板を前方向に倒すと、ラチェットボルトが、押しバネの付勢力で初期の位置に戻ることを特徴とする。
【００１０】
前記グリップ機構は、レバーが根元側と根本側に回動可能にピンで結合される先端側からなり、前記ピンに設けられた跳上げバネが根元側と先端側を一直線になるように付勢しており、先端側を前記跳上げバネの付勢力に抗して引き下げると、先端側が折れ曲がることを特徴とする。
【００１１】
前記グリップ機構は、前記噛み込み部を回動可能に支持するピンに、前記噛み込み部が開口するように付勢する戻しバネが設けられることを特徴とする。
【発明の効果】
【００１２】
本発明のパチンコ台の上部取付装置によれば、閉じバネの付勢力に抗してシャッターを回動させると、シャッターに設けられたフックが調整棒の挿入路に係合してシャッターを開いた状態に保持でき、調整棒が挿入路に挿入されるとフックが外れ、調整が終了した後に調整棒が取り去られると、閉じバネの付勢力でシャッターが閉じた状態とされるようにしたので、シャッターを閉じる操作を行なわないでも、シャッターを閉じた状態にすることができる。
【００１３】
グリップ機構にラチェット板と押しバネを設けたので、ラチェットボルトを前方向に押し込むと、１回の操作（ワンプッシュ）で噛み込み部の開口度を狭まった状態にでき、この状態からラチェット板を前方向に倒すと、押しバネの付勢力によりラチェットボルトを初期の位置に戻すことができる。ラチェットボルトを少しずつ回転させて歩進又は後退させる必要がないので、噛み込み部の開口度を調整する操作が容易になる。
【００１４】
グリップ機構のレバーを、根元側と先端側に分け、根元側と先端側を結合するピンに跳上げバネを設け、根元側と先端側が一直線になるように付勢し、先端側が下側に折れ曲がるようにした。そのため、レバーが押し上げられ、レバーとグリップベースとの間に隙間がなくなっても、レバーの先端側を下側に折り曲げて、指を掛けて引き下ろすことができる。すなわち、噛み込み部を台枠から引き離す操作が極めて容易になる。
【００１５】
噛み込み部を回動可能に支持するピンに戻しバネを設けたので、ラチェット板を前方向に倒してラチェットボルトを初期の位置に戻した時、噛み込み部を自動的に台枠から離し、開口する位置に戻すことができる。
【図面の簡単な説明】
【００１６】
【図１】本発明によるパチンコ台の上部取付装置の正面図である。
【図２】本発明によるパチンコ台の上部取付装置の平面図である。
【図３】本発明によるパチンコ台の上部取付装置の背面図である。
【図４】本発明によるパチンコ台の上部取付装置の右側面図である。
【図５】本発明によるパチンコ台の上部取付装置の左側面図である。
【図６】本発明によるパチンコ台の上部取付装置の底面図である。
【図７】シャッターの動作説明図である。
【図８】シャッターに関連した動作のフローチャートである。
【図９】レバーを押し上げる操作の説明図（例１）である。
【図１０】レバーを押し上げる操作の説明図（例２）である。
【図１１】レバーを引き下げる操作の説明図である。
【図１２】従来（特許文献１）の上部取付装置の使用状態を示す図である。
【発明を実施するための形態】
【００１７】
以下、図面を参照して、本発明によるパチンコ台の上部取付装置を説明する。
【実施例】
【００１８】
図１は、本発明によるパチンコ台の上部取付装置１００の正面図である。スライドボルト１は、垂直支持部材３を構成する第１垂直支持部材３ａの長孔２８に上下移動可能に、そして回転可能に支持されている。噛み込み部６は、ピン６ａに支持され、ピン６ａには戻しバネ６ｂが取り付けられている。レバー７は下向きに垂れ下がっている。右端には、シャッター２０が設けられ、閉じた状態にあって、調整棒１４（図１２参照）が挿入できないよう進入路を塞いでいる。左右にベースレール４が設けられる。グリップベース５と噛み込み部６で台枠を挟み込む。グリップ機構２４は、噛み込み部６とレバー７を含む機構を指す。
【００１９】
図２は、本発明によるパチンコ台の上部取付装置１００の平面図である。スライドボルト１は、垂直支持部材３を構成する第１垂直支持部材３ａと第２垂直支持部材３ｂで支持される。支持部材３は、中央に開口部を有するスライドベース１９の前後端に立設されている。スライドボルト１は、持ち上げバネ１ａで上方に持ち上げられており、また、スライドタップ２が螺合されている。スライドタップ２の底部は、スライドベース１９の開口部を突き抜けてグリップベース５の上面に溶接されている。スライドベース１９は、ベースレール４にネジ着されている。スライドボルト１は、回転はしても両端が前後動しないように支持されるので、スライドボルト１の回転により、スライドタップ２が前後動する。なお、ラチェットボルト８は、図１に示す噛み込み部６を前後動させ、噛み込み部６の開口度の調節ができる。
【００２０】
図２に示すように、上部取付装置１００の後方側には、第１歯車１１と、第２歯車１２と、第３歯車１３と、が設けられる。これら歯車がスライドボルト１を回転させる駆動手段２２を形成している。第３歯車１３はスライドボルト１の軸に連結される。調整棒１４（図１２参照）を第１歯車１１の軸１１ａに係合させて回転するなら、第１歯車１１に歯合する第２歯車１２が回転し、さらに第２歯車１２に歯合する第３歯車１３が回転する。このようにして、調整棒１４によってスライドボルト１が回転できるが、その結果、スライドタップ２が前後動する。スライドタップ２が前後動すると、スライドタップ２の下部に溶接されたグリップベース５が前後動する。グリップベース５は、噛み込み部６が台枠を噛み込んでいるので、最終的に台枠１０の上部を前後動させて傾斜させることができる。なお、第１歯車１１と第３歯車１３を歯合させて、第２歯車１２を省略した構成としてもよい。また、第１歯車１１と第２歯車１２を省略し、調整棒１４で第３歯車１３を駆動する構成としてもよい。さらに、スライドボルト１の軸に歯を形成し、第３歯車を省略してもよい。詳細は示さないが、第１歯車１１と第２歯車１２と第３歯車１３とで、スライドボルト１ではなくスライドタップ２を回転させるように構成してもよい。
【００２１】
図３は、本発明によるパチンコ台の上部取付装置１００の背面図である。第１歯車１１、第２歯車１２及び第３歯車１３の位置は点線で示す。グリップベース５の下側には、ラチェットボルト８を含むグリップ機構２４がある。ラチェットボルト８にはラチェット板２１が設けられる。レバー７は、根本部と先端部からなり、先端部はピン７ａで根本部に連結され、ピン７ａには、跳上げバネ７ｂが設けられている。跳上げバネ７ｂは、レバー７の根元側と先端側が一直線になるように付勢している。
【００２２】
図４は、本発明によるパチンコ台の上部取付装置１００の右側面図である。図４は、ラチェットボルト８が前方に押し込まれていない初期状態を示している。押しバネ２３が、ラチェット板２１の下側が常に後方に倒れるよう押している。第１歯車１１の軸１１ａには、係合孔部１８が設けられる。係合孔部１８は挿入路２７の後側にあって、調整棒（図１２参照）の先端と係合する。図４に示す状態は、挿入路２７の前方が、シャッター２０で塞がれている。シャッター２０は、フック２０ｃを有する金具である。噛み込み部６は、前方の下方向を向いて開口度が広がった状態にある。これはピン６ａに設けられた戻しバネ６ｂ（図１参照）が、噛み込み部６に対して付勢力を反時計回りに作用させていることによる。図４の下側部分のラチェットボルト８や噛み込み部６を含む部分が、グリップ機構２４である。
【００２３】
図５は、本発明によるパチンコ台の上部取付装置１００の左側面図である。図５は、ラチェットボルト８が前方に押し込まれていない初期状態を示している。噛み込み部６は、前方の下方向を向いている。これは戻しバネ６ｂ（図４参照）が噛み込み部６に対して付勢力を図５で時計回りに作用させていることによる。戻しバネ６ｂがない場合、噛み込み部６はピンとの摩擦で位置がきまり、噛み込み部６の開口度を大きく開口させるには、手動で停止位置を戻す面倒さがある。
【００２４】
図６は、本発明によるパチンコ台の上部取付装置１００の底面図である。シャッター２０は、ピン２０ａに回動可能に取り付けられている。ピン２０ａには、閉じバネ２０ｂが設けられ、シャッター２０を閉じるように付勢している。
【００２５】
図７は、シャッター２０の動作説明図である。図７（Ａ）は、シャッター２０の通常状態（閉じた状態）を示している。シャッター２０は、ピン２０ａに回動可能に取り付けられ、閉じバネ２０ｂがシャッター２０を時計回り方向に付勢し、調整棒１４が挿入される挿入路２７の入口を塞いでいる。図７（Ｂ）は、手動操作により、フック２０ｃを押し上げている状態を示す。図７（Ｃ）は、フック２０ｃが押し上げられ、挿入路２７の底孔に係止されると、挿入路２７の入口は調整棒１４が挿入可能に開いた状態になることを示す。図７（Ｄ）は、挿入棒１４の挿入が開始された状態を示す。図７（Ｅ）は、挿入棒１４が深く挿入されると、フック２０ｃが外れることを示す。図７（Ｆ）は、挿入棒１４によるパチンコ台の傾斜角度の調整が終了し、調整棒１４が挿入路２７から引き抜かれた状態を示す。この状態では、閉じバネ２０ｂの付勢力によりシャター２０は挿入路２７の入口を塞いた状態にする。
【００２６】
図８は、シャッター２０に関連した動作のフローチャートである。（１）まず、パチンコ台のカギを開ける。（２）次に、パチンコ台は、台枠１０（図１２参照）にヒンジ結合されているので、パチンコ台を開くことができる。（３）次に、手動操作によりシャッター２０を押し上げて、シャッター２０を開いた状態にする。（４）次に、パチンコ台を閉じ、続けてパチンコ台にカギをかける。（５）次に、調整棒１４を挿入路２７に挿入するとフック２０ｃが外れる。（６）調整棒１４を回してスライドボルト１を回転し、パチンコ台の傾斜角度を調整する。（７）最後に、調整棒１４を引き抜くと、閉じバネ２０ｂの付加勢力によりシャッター２０が挿入路２７の入口を塞ぐ。このようにシャッター２０を閉じる操作が、調整棒１４の引き抜き操作で実現できる。改めてパチンコ台の開け閉めをしないので、開閉の衝撃などにより傾斜角度がずれることがない。
【００２７】
図９は、レバー７を押し上げる操作の説明図（例１）である。図９（Ａ）に示すように、ラチェットボルト８は押し込まれていないとする。この状態では噛み込み部６が戻しバネ６ｂの付勢力により前方下方向を向く。図９（Ｂ）に示すように、レバー７が押し上げられると、レバー７は略水平となって、噛み込み部６が台枠１０を噛み込む。台枠１０の上面はグリップベース５に当接する。
【００２８】
図１０は、レバー７を押し上げる操作の説明図（例２）である。図１０（Ａ）に示すように、ラチェットボルト８を押し込む（１回の操作）と、噛み込み部６の開口度が狭まり、例えば噛み込み部６は略水平になる。この状態で、レバー７を押し上げると、図１０（Ｂ）に示すように、レバー７は略水平となって噛み込み部６が台枠１０を噛み込む。このようにラチェットボルト８を操作するとことで、厚さの薄い台枠１０を噛み込むことができる。図１０（Ａ）の状態で、ラチェット板２１を前方に倒すと、押しバネ２３により、ラチェットボルト８が後方に押し戻され、図９（Ａ）に示すような状態となる。ラチェットボルト８を何回か回転させることによっても、このような動作を行なわせることができる。
【００２９】
図１１は、レバー７を引き下げる操作の説明図である。レバー７が略水平となって、噛み込み部６が台枠１０噛み込んでいる状態から、レバー７を引き下げる場合、レバー７の先端部を下方向に回動し、引き続きレバー７を引き下げる。レバー７の先端部には、跳上げバネ７ｂが付勢されているだけであり、軽く引き下げることができる。指がレバー７の先端部に掛けやすく、操作が容易にできる。
【産業上の利用可能性】
【００３０】
本発明によるパチンコ台の上部取付装置は、操作性に優れ、島枠と台枠の隙間から調整棒を挿入して傾斜角度の調整を行なう装置として好適である。
【符号の説明】
【００３１】
１    スライドボルト
１ａ    持ち上げバネ
２    スライドタップ
３    垂直支持部材
３ａ    第１垂直支持部材
３ｂ    第２垂直支持部材
４    ベースレール
５    グリップベース
６    噛み込み部
６ａ    ピン
６ｂ    戻しバネ
７    レバー
７ａ    ピン
７ｂ    跳上げバネ
８    ラチェットボルト
９    島枠
１０    台枠
１１    第１歯車
１１ａ    軸
１２    第２歯車
１３    第３歯車
１４    調整棒
１５    隙間
１８    係合孔部
１９    スライドベース
２０    シャッター
２０ａ    ピン
２０ｂ    閉じバネ
２０ｃ    フック
２１    ラチェット板
２２    駆動手段
２３    押しバネ
２４    グリップ機構
２７    挿入路
２８    長孔
１００    上部取付装置
【要約】
【課題】操作性を向上させたパチンコ台の上部取付装置を提供する。
【解決手段】
１又は複数の歯車からなる駆動手段と、噛み込み部を台枠に噛み込ませるグリップ機構とを備え、島枠と台枠の隙間に調整棒を挿入して台枠の傾斜角度が調整できるようにしたパチンコ台の上部取付装置において、開いた状態ではスライドボルト駆動手段に調整棒が係合可能で、閉じた状態では調整棒の係合を妨げるシャッターが設けられ、シャッターは、ピンに回動可能に取り付けられ、閉じバネがシャッターを閉じる方向に付勢しており、閉じバネの付勢力に抗してシャッターを回動させると、シャッターに設けられたフックが、調整棒の挿入路に係合してシャッターを開いた状態に保持し、調整棒が挿入路に挿入されるとフックが外れ、調整が終了した後に調整棒が取り去られると、閉じバネの付勢力でシャッターが閉じた状態とされる。
【選択図】図４【図１】
0005793254.tif 000002
【図２】
0005793254.tif 000003
【図３】
0005793254.tif 000004
【図４】
0005793254.tif 000005
【図５】
0005793254.tif 000006
【図６】
0005793254.tif 000007
【図７】
0005793254.tif 000008
【図８】
0005793254.tif 000009
【図９】
0005793254.tif 000010
【図１０】
0005793254.tif 000011
【図１１】
0005793254.tif 000012
【図１２】
0005793254.tif 000013